(57)【要約】【課題】間隔をもって設けられた複数の椅子体の独立感を失うことなく、椅子体同士の間にものが挟まってしまうことを防止することが可能なロビーチェアを提供する。【解決手段】ロビーチェア１は、複数の椅子体３０を互いに間隔をもって共通の脚体１０で支持する構造のものであって、椅子体３０同士の間に椅子体３０のそれぞれと隙間を有して前後方向に延設され、上方に向かって凸をなす断面略山形状に形成されたスペーサ４０を備える。【選択図】図１
2009077764.tif 000002
【特許請求の範囲】
【請求項１】
複数の椅子体を互いに間隔をもって共通の脚体で支持する構造のロビーチェアであって、
前記椅子体同士の間に該椅子体のそれぞれと隙間を有して前後方向に延設され、上方に向かって凸をなす断面略山形状に形成されたスペーサを備えることを特徴とするロビーチェア。
【請求項２】
請求項１に記載のロビーチェアにおいて、
前記スペーサは、前記椅子体同士の間に延設される本体部と、
該本体部から延設されて、前記椅子体の下方で該椅子体または前記脚体に固定された固定部材に取り付けられる取付部とを有することを特徴とするロビーチェア。
【請求項３】
請求項１または請求項２に記載のロビーチェアにおいて、
前記スペーサの前後方向に沿って延びる縁端部は、前記椅子体の縁端部下端よりも下方に位置していることを特徴とするロビーチェア。
【請求項４】
請求項１から請求項３のいずれかに記載のロビーチェアにおいて、
前記スペーサは、前後方向に沿って形成され、上下方向に連通したスリットを有することを特徴とするロビーチェア。
【発明の詳細な説明】
【技術分野】
【０００１】
本発明は、複数の椅子体が共通の脚体で支持された構造のロビーチェアに関する。
【背景技術】
【０００２】
従来から、複数の椅子体を共通の脚体で支持する構造のロビーチェアが各種提供されている。より具体的には、このようなロビーチェアは、左右一対の支持脚及び該支持脚で支持された支持杆を有する脚体を備え、該脚体の支持杆に複数の椅子体が互いに間隔をもって固定された構造となっている（例えば、特許文献１参照）。そして、このようなロビーチェアは、一体的な構造として複数の椅子体を整列した状態に保ちつつ、互いの間隔によってそれぞれの椅子体に独立感を与えて外観を良好なものとすることができる。
【特許文献１】特開平４−３４１２１５号公報
【発明の開示】
【発明が解決しようとする課題】
【０００３】
しかしながら、特許文献１のロビーチェアによれば、椅子体と椅子体との間にものが挟まってしまうおそれがあった。このため、椅子体と椅子体との間をカバーによって塞いでしまうことも考えられるが、この場合には各椅子体に独立感を与えて良好な外観を得る利点を失ってしまう問題があった。さらに、カバーと椅子体との間に塵などが詰ってしまい、結果、より一層外観が悪化してしまう問題があった。
【０００４】
この発明は、上述した事情に鑑みてなされたものであって、間隔をもって設けられた複数の椅子体の独立感を失うことなく、椅子体同士の間にものが挟まってしまうことを防止することが可能なロビーチェアを提供するものである。
【課題を解決するための手段】
【０００５】
上記課題を解決するために、この発明は以下の手段を提案している。
本発明は、複数の椅子体を互いに間隔をもって共通の脚体で支持する構造のロビーチェアであって、前記椅子体同士の間に該椅子体のそれぞれと隙間を有して前後方向に延設され、上方に向かって凸をなす断面略山形状に形成されたスペーサを備えることを特徴としている。
【０００６】
この構成によれば、椅子体同士の間には、前後方向にスペーサが設けられているので、このスペーサによって椅子体同士の間隔と略等しい若しくは若干小さいサイズのものが挟まってしまうことを防止することができる。また、塵などの微小サイズのものについては、スペーサと各椅子体との隙間から下方へ落下することとなり、スペーサと椅子体との間に詰ってしまって外観が悪化してしまうことを防止することができる。ここで、スペーサは、上方に向かって凸をなす断面略山形状に形成されていることで、使用者が正面側から目視した際に実際の幅よりも狭小に視認されることとなる。このため、椅子体に対してスペーサの存在感を小さくすることができ、これにより椅子体の独立感を損なわないものとすることができる。
【０００７】
また、前記スペーサは、前記椅子体同士の間に延設される本体部と、該本体部から延設されて、前記椅子体の下方で該椅子体または前記脚体に固定された固定部材に取り付けられる取付部とを有することが好ましい。
【０００８】
この構成によれば、スペーサは、椅子体同士の間に延設される本体部に対して取付部が椅子または脚体に取り付けられた固定部材に固定されていることで、脚体及び椅子体と一体となっている。ここで、取付部が椅子体の下方に位置することで、使用者からスペーサの固定部分が視認されないようにすることができ、椅子に対してスペーサの存在感をより小さいものとすることができる。
【０００９】
また、前記スペーサの前後方向に沿って延びる縁端部は、前記椅子体の縁端部下端よりも下方に位置していることが好ましい。
【００１０】
この構成によれば、スペーサの縁端部が椅子体の縁端部下端よりも下方に位置していることで、椅子体とスペーサとの隙間を好適に確保することができる。このため、椅子体同士の間にものが挟まってしまうことを防ぎつつ、塵などの微小サイズのものをより確実に下方へ落下させることができる。
【００１１】
また、前記スペーサは、前後方向に沿って形成され、上下方向に連通したスリットを有することが好ましい。
【００１２】
この構成によれば、前後方向に沿ってスリットが形成されていることで、椅子体に対してスペーサの存在感をより小さくすることができる。また、塵などの微小サイズのものについては、スリットからも下方へ落下させることができる。
【発明の効果】
【００１３】
本発明のロビーチェアによれば、断面略山形状のスペーサを備えることで、間隔をもって設けられた複数の椅子体の独立感を失うことなく、椅子体同士の間にものが挟まってしまうことを防止することができる。
【発明を実施するための最良の形態】
【００１４】
図１から図９は、この発明に係る実施形態を示している。
図１に示すように、この実施形態のロビーチェア１は、床面上に載置される脚体１０と、脚体１０に互いに間隔をもってブラケット２０によって複数固定された椅子体３０と、各椅子体３０の間に設けられたスペーサ４０とを備える。以下に、各詳細を説明する。
【００１５】
図２及び図３に示すように、脚体１０は、左右に配設された支脚１１で略水平状態となるように支持杆１２の両端部を支持した構造となっている。支脚１１は、前後に脚杆１１ａを有する二股構造であり、上端中央部に上方へ開放した側面視略Ｕ字状の係合部１１ｂを有している。また、脚杆１１ａの下端にはアジャスター１１ｃが設けられている。また、支持杆１２は、断面形状が上下に長径を有する長円形のパイプ部材で、端部は合成樹脂製のキャップ１２ａが嵌合されて封じられている。そして、支持杆１２の下部を支脚１１の係合部１１ｂに上方から落とし込み嵌合し、その上から側面視略逆Ｕ字形の押え部材１２ｂを嵌合し、さらに、押え部材１２ｂを支脚１１にネジ１２ｃによって締め付けることで、支持杆１２は、支脚１１に固定され、支持された状態となっている。
【００１６】
また、図２及び図３に示すように、椅子体３０は、左右一対の側面視略Ｌ字形の主枠部材３１を有し、主枠部材３１の下部前端間及び後端間並びに上端部間に、アルミ押し出し型材からなる横杆３２、３３、３４をそれぞれ連結してフレーム３５を構成し、このフレーム３５に座部３６と背凭れ部３７を取り付けた構造となっている。主枠部材３１は、アルミダイカスト製の側面視略Ｌ字形の一体成形部材であり、座部３６を取りつける座支持部３１ａと、背凭れ部３７を取り付ける背支持部３１ｂとからなる。座支持部３１ａは、上面が前方から後方へ傾斜して下がり、下面は後部が後方へ向かうにつれて上下幅が厚くなっている。そして、この上下幅が厚くなった補強部３１ｃの後端に背支持部３１ｂの下端が連続していることで、主枠部材３１は、全体として高い剛性を有している。そして、図４及び図５に示すように、座支持部３１ａには、上面内側部に段落ちした座取付面３１ｄが形成されていて、ここに座部３６が嵌めこまれた構造となっている。また、図示しないが、背支持部３１ｂも同様に前面内側部が段落ちした背取付面が形成されていて、ここに背凭れ部３７が嵌め込まれた構造となっている。
【００１７】
また、図２及び図３に示すように、椅子体３０を脚体１０の支持杆１２に取り付けるブラケット２０は、比較的に肉厚のスチール板から作製した部材であり、側面視略三角形の垂直な基板２１と、基板２１から一方側へ張り出すようにプレス成形された取付板２２とを有する。基板２１の上縁及び該上縁から張り出す取付板２２は、主枠部材３１の座支持部３１ａの下面形状に沿った形状を有している。また、基板２１の下部には、支持杆１２の上部形状に合致した側面視略逆Ｕ字状の切欠部２１ａが形成されていて、切欠部２１ａの形状に合致した半筒部材２１ｂが切欠部２１ａと連通して、取付板２２が張り出す一方側と反対の他方側へ張り出すようにして溶接されている。そして、ブラケット２０は、支持杆１２の上部に切欠部２１ａ及び半筒部材２１ｂを外嵌した状態で溶接することによって脚体１０と一体化されている。なお、ブラケット２０の取り付けは、溶接に限らずにネジによって押圧あるいは螺着して行うものとしても良い。
【００１８】
そして、ブラケット２０は、二個一組として各椅子体３０と対応して複数組所定間隔をもって支持杆１２に取り付けられている。より詳しくは、一組のブラケット２０は、一つの椅子体３０において、フレーム３５を構成して対をなした主枠部材３１の間隔と略等しい間隔で取り付けられている。また、各組のブラケット２０は、対応する椅子体３０同士の間が所定の間隔となるにように取り付けられている。そして、図４及び図７に示すように、各椅子体３０は、主枠部材３１の各座支持部３１ａの下面がブラケット２０の取付板２２の上面に載置された状態で、座支持部３１ａの下面に予めタッピング形成した第一の螺孔３１ｅに取付板２２の通孔２２ａに下方から挿入した第一の固定ネジ５１を螺合することで取り付けられている。
【００１９】
また、図２から図９に示すように、スペーサ４０は、椅子体３０同士の座支持部３１ａの間で前後方向に延設される本体部４１と、本体部４１から延設された取付部４２とを有する。図４に示すように、本体部４１は、断面視して、中央に角状の頂部４１ａを有し、頂部４１ａから両縁端部４１ｂへ傾斜しており、全体として上方へ凸をなす略山形状に形成されている。図８及び図９に示すように、本体部４１の内部は空洞となっていて、縦リブ４１ｃ及び横リブ４１ｄによって補強されている。また、取付部４２は、本体部４１の前端及び後端において、それぞれ左右一対ずつ設けられている。取付部４２は、略板状で、延出する左右方向に細長の長孔４２ａが形成されている。そして、本体部４１が椅子体３０同士の座支持部３１ａの間に配設された状態で、図５及び図７に示すように、左右の取付部４２は、各椅子体３０の座支持部３１ａの下方まで延設され、座支持部３１ａの下面において前端側及び後端側のそれぞれに予めタッピング形成した第二の螺孔３１ｆに、取付部４２の長孔４２ａに下方から挿入した第二の固定ネジ５２を螺合して、各座支持部３１ａに取り付けられている。このため、椅子体３０同士に取り付け誤差が生じていたとしても、長孔４２ａによって取り付け誤差を解消して、椅子体３０の座支持部３１ａ間にスペーサ４０を取り付けることができる。ここで、図４及び図５に示すように、スペーサ４０の本体部４１は、取付部４２が各座支持部３１ａに取り付けられた状態において、各座支持部３１ａと隙間を有し、特に、頂部４１ａが座支持部３１ａの側方に位置するとともに、縁端部４１ｂが座支持部３１ａの下端よりも下方に位置するように配設されている。
【００２０】
次に、この実施形態のロビーチェア１の作用について説明する。
図１及び図６に示すように、ロビーチェア１では、椅子体３０の座支持部３１ａの間にスペーサ４０の本体部４１が延設されていることによって、椅子体３０同士の間隔Ｓと略等しい若しくは若干小さいサイズのものが椅子体３０同士の間に挟まってしまうことを防止することができる。また、図４及び図６に示すように、塵などの微小サイズのものについては、スペーサ４０の本体部４１と各椅子体３０の座支持部３１ａとの隙間Ｔから下方へ落下することとなり、スペーサ４０と椅子体３０との間に詰ってしまって外観が悪化してしまうことを防止することができる。ここで、スペーサ４０の本体部４１は、断面略山形状に形成されていることで、使用者が正面側から目視した際に実際の幅よりも狭小に視認されることとなる。このため、椅子体３０に対してスペーサ４０の存在感を小さくすることができ、これにより複数の椅子体３０の独立感を損なわないようにすることができ、良好な外観を得ることができる。特に、本実施形態では、取付部４２が椅子体３０の下方まで延設されて、座支持部３１ａの下面に固定されていることで、正面視する使用者からはスペーサ４０の固定部分を視認することができない。このため、椅子体３０に対するスペーサ４０の存在感をより小さいものとして、より一層各椅子体３０に独立感を与えることができる。また、本実施形態では、スペーサ４０の本体部４１の縁端部４１ｂが椅子体３０の座支持部３１ａの縁端部下端よりも下方に位置していることで、椅子体３０とスペーサ４０との隙間Ｔを好適に確保することができる。このため、椅子体３０同士の間にものが挟まってしまうことを防ぎつつ、塵などの微小サイズのものをより確実に下方へ落下させることができる。
【００２１】
なお、本実施形態では、スペーサ４０の本体部４１は、上方へ凸をなす断面略山形状とし、中央に角状の頂部４１ａを有するものとしたが、これに限るものでは無く、凸状の曲面によって山形状、言い換えれば蒲鉾形に形成されているものなどとしても良い。また、本実施形態では、スペーサ４０は、座支持部３１ａの下面に取付部４２が固定されていることによって、椅子体３０に取り付けられているものとしてが、これに限るものでは無く、脚体１０に固定部材を固定し、この固定部材に取り付けるものとしても良い。なお、上記のように椅子体３０に直接取り付けることによって、部品数を少なくすることができる点で利点を有する。また、本実施形態では、椅子体３０間の全てにおいて、スペーサ４０を設けるものとしたが、これに限ることは無く、例えば、一部において肘掛を設ける必要がある場合には、スペーサ４０に代えて肘掛を設置するものとしても良い。
【００２２】
図１０及び図１１は、この実施形態の変形例を示している。図１０及び図１１に示すように、この変形例のスペーサ６０は、椅子体３０の座支持部３１ａの間に延設される本体部６１と、本体部６１から延設されて椅子体３０の下面に取り付けられる取付部６２とを有する。本体部６１には、上下方向に連通するスリット６１ａが前後方向に形成されている。より詳しくは、本体部６１は、一対の板部材６１ｂを有し、この板部材６１ｂをスリット６１ａと対応する隙間をもってハノ字状に配設し、両者間に連結部材６１ｃを溶接することで構成されている。
【００２３】
この変形例のようなスペーサ６０を椅子体３０の間に配設した場合、本体部６１の前後方向に沿ってスリット６１ａが形成されていることで、椅子体３０に対してスペーサ６０の存在感をより小さくすることができ、外観をさらに向上させることができる。また、塵などの微小サイズのものについては、スリット６１ａからも下方へ落下させることができる点で好適である。
【００２４】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２５】
【図１】この発明の実施形態のロビーチェアの全体斜視図である。
【図２】この発明の実施形態のロビーチェアの分解斜視図である。
【図３】この発明の実施形態のロビーチェアの側方視した全体断面図である。
【図４】図３の切断線Ａ−Ａにおける断面図である。
【図５】図３の切断線Ｂ−Ｂにおける断面図である。
【図６】この発明の実施形態のロビーチェアにおいて、椅子体間の詳細を示す上方視した斜視図である。
【図７】この発明の実施形態のロビーチェアにおいて、椅子体間の詳細を示す下方視した斜視図である。
【図８】この発明の実施形態のロビーチェアにおいて、スペーサの詳細を示す斜視図である。
【図９】この発明の実施形態のロビーチェアにおいて、スペーサの詳細を示す斜視図である。
【図１０】この発明の実施形態の変形例のロビーチェアにおいて、椅子体間の詳細を示す上方視した斜視図である。
【図１１】この発明の実施形態の変形例のロビーチェアにおいて、スペーサの詳細を示す斜視図である。
【符号の説明】
【００２６】
１  ロビーチェア
１０  脚体
３０  椅子体
４０、６０  スペーサ
４１、６１  本体部
４１ｂ  縁端部
４２、６２  取付部
６１ａ  スリット
【図１】
2009077764.tif 000003
【図２】
2009077764.tif 000004
【図３】
2009077764.tif 000005
【図４】
2009077764.tif 000006
【図５】
2009077764.tif 000007
【図６】
2009077764.tif 000008
【図７】
2009077764.tif 000009
【図８】
2009077764.tif 000010
【図９】
2009077764.tif 000011
【図１０】
2009077764.tif 000012
【図１１】
2009077764.tif 000013